(57)【要約】【課題】  ゴミ吸着シートを足形に形成することなく、市販されている安価なフローリング用ワイパーシートをそのまま利用できるスリッパ用ゴミ吸着シートの着脱用裏底部材を提供すること。【解決手段】  スリッパの本体底面よりもやや小さな略相似形で、かつ踵部分１２と指先部分１３及び両側縁部１４にゴミ吸着シート１００の係止切れ目１５、１６、１７が形成された裏底板１１と、該裏底板１１における前記係止切れ目１５、１６，１７が形成されていない中央部分に設けられた両面接着テープ等の接着部材１８とを含み、前記裏底板１１が前記接着部材１８を介して前記スリッパの本体底面に接着され、前記ゴミ吸着シート１００が前記裏底板１１の底面を覆い、かつ外周縁部１０１が前記接着部材１８側に折り返されて前記係止切れ目１５、１６、１７に挟み込まれて取り外し自在に取り付けられて使用される。【選択図】    図６
2006191995.tif 000002
【特許請求の範囲】
【請求項１】
スリッパ（１）の本体底面（２）よりもやや小さな略相似形で、かつ踵部分（１２）と指先部分（１３）及び両側縁部（１４）にゴミ吸着シート（１００）の係止切れ目（１５）、（１６）、（１７）が形成された裏底板（１１）と、
該裏底板（１１）における前記係止切れ目（１５）、（１６）、（１７）が形成されていない中央部分に設けられた両面接着テープ等の接着部材（１８）と
を含み、
前記裏底板（１１）が前記接着部材（１８）を介して前記スリッパ（１）の本体底面（２）に接着され、前記ゴミ吸着シート（１００）が前記裏底板（１１）の底面を覆い、かつ外周縁部（１０１）が前記接着部材（１８）側に折り返されて前記係止切れ目（１５）、（１６）、（１７）に挟み込まれて取り外し自在に取り付けられる構成を特徴とするスリッパ用ゴミ吸着シートの着脱用裏底部材。
【発明の詳細な説明】
【技術分野】
【０００１】
本発明は、スリッパの本体底面にゴミ吸着シートを取り付け、このスリッパを着用して歩くことにより、フローリングの床上等のゴミをゴミ吸着シートに吸着させて床上等を自然に掃除できるようにしたスリッパ用ゴミ吸着シートの着脱用裏底部材に関するものである。
【背景技術】
【０００２】
従来から、歩きながら床上等の掃除ができるモップ付のスリッパとしては、例えば、下記の特許文献１、特許文献２、特許文献３に記載されているものが知られている。
【特許文献１】特開２００１−０２５４５４号公報
【特許文献２】特開２００１−１２８９１６号公報
【特許文献３】特開２００３−２９０１０５号公報
【０００３】
特許文献１に記載されている不織布のワイパー及び清掃具は、不織布のワイパーシートの一部分に粘着剤を付けてこれをスリッパの裏面に取り付けるものである。
【０００４】
モップ付スリッパは、使用後にモップ部分を洗濯しなくてはならないが、この特許文献１に記載されている清掃具は、足形に裁断し、粘着剤を付ける等の作業が必要で、製造コストが高くなり、又、ワイパーシートの片面しか使えなく、経済的でないという問題点があった。
【０００５】
特許文献２に記載されているゴミ吸着用上履き履物は、履物の本底の底面の外周部を残して底面よりも小さい台部を形成し、この台部の外形輪郭よりも大きい外形輪郭のゴミ吸着シートで台部を覆い、台部の外周に嵌合できる環状体または棒状体でゴミ吸着シートの外周部を押さえながら環状体または棒状体を台部に嵌合して、環状体または棒状体とゴミ吸着シートとを本底に着脱自在に取り付けるものである。
【０００６】
この特許文献２に記載されているゴミ吸着用上履き履物は、本底に台部を形成しなければならないため、既存のスリッパをそのまま用いることはできない。既存のスリッパをそのまま用いようとすれば、台部を形成した底部材と環状体又は棒状体の二つの部材が必要であり、又、ゴミ吸着シートの形状は足形に近似した形状に裁断しなければならない。
【０００７】
又、ゴミ吸着シートの外周部を押さえながら環状体または棒状体を台部に嵌合して、環状体または棒状体とゴミ吸着シートとを本底に取り付けるものであるから、ゴミ吸着シートは、環状体又は棒状体による嵌合に適合した一定の厚さのシートに限られ、それよりも厚く又は薄いシートを用いることには不都合を生ずるものである。
【０００８】
特許文献３に記載されている簡易清掃具は、ゴミ吸着シートを立体的に形成し、これをスリッパの底面に装着して使用するものである。
【０００９】
この特許文献３に記載されている清掃具は、ゴミ吸着シートを立体的に形成しなければならないために製造コストが高く、使い捨てに不向きである。又、スリッパを履いた時の外観体裁も良くないという問題点があった。
【発明の開示】
【発明が解決しようとする課題】
【００１０】
本発明が解決しようとする問題点は、ゴミ吸着シートを足形に裁断し、又は立体的に形成しなければならないという点である。
【００１１】
又、ゴミ吸着シートを足形又は立体的に形成しなければならないために、市販されている安価なフローリング用ワイパーシートをそのまま利用できないという点である。
【００１２】
従って、本発明の目的は、ゴミ吸着シートを足形又は立体的に形成することなく、市販されている安価なフローリング用ワイパーシートをはさみ等で切断する必要がなくてそのまま簡易に利用できるスリッパ用ゴミ吸着シートの着脱用裏底部材を提供することにある。
【００１３】
又、本発明の目的は、スリッパを履いた時の外観体裁も良く、ゴミ吸着シートは少なくとも表裏二面が使える経済的なスリッパ用ゴミ吸着シートの着脱用裏底部材を提供することにある。
【課題を解決するための手段】
【００１４】
これらの目的のため、本発明の請求項1に記載のスリッパ用ゴミ吸着シートの着脱用裏底部材は、スリッパ１の本体底面２よりもやや小さな略相似形で、かつ踵部分１２と指先部分１３及び両側縁部１４にゴミ吸着シート１００の係止切れ目１５、１６、１７が形成された裏底板１１と、該裏底板１１における前記係止切れ目１５、１６，１７が形成されていない中央部分に設けられた両面接着テープ等の接着部材１８とを含み、前記裏底板１１が前記接着部材１８を介して前記スリッパ１の本体底面２に接着され、前記ゴミ吸着シート１００が前記裏底板１１の底面を覆い、かつ外周縁部１０１が前記接着部材１８側に折り返されて前記係止切れ目１５、１６、１７に挟み込まれて取り外し自在に取り付けられる構成を特徴とするものである。
【発明の効果】
【００１５】
請求項1に記載の発明によれば、ゴミ吸着シートを足形又は立体的に形成することなく、市販されている安価なフローリング用ワイパーシートをはさみ等で切断する必要がなくてそのまま簡易に利用できるものである。
【００１６】
又、スリッパを履いた時の外観体裁も良く、ゴミ吸着シートは少なくとも表裏二面を使うことができるものである。
【００１７】
又、裏底板は薄く、その全体の足形形状やゴミ吸着シートの係止切れ目は、抜き型で簡単にして、かつ量産的に製造でき、又、接着部材も両面接着テープ又は面ファスナーで構成されているから、製造コストが安く、又、市販されている安価なフローリング用ワイパーシートをはさみ等で切断する必要がなくてそのまま簡易に利用できて経済的である。
【発明を実施するための最良の形態】
【００１８】
以下に図面を参照して、本願に係る発明を実施するための最良の形態についてその作用と共に説明する。
【００１９】
図１は、本発明に係るスリッパ用ゴミ吸着シートの着脱用裏底部材１０がスリッパ１の本体底面２に取り付けられた状態を示す斜視図である。
【００２０】
図２と図３は、本発明に係るスリッパ用ゴミ吸着シートの着脱用裏底部材の一例を示す平面図と底面図であり、図４は、図３の４―４線に沿った拡大断面図、図５は、図３の５―５線に沿った一部省略の拡大断面図で、本スリッパ用ゴミ吸着シートの着脱用裏底部材１０は、裏底板と接着部材を含んでいる。
【００２１】
裏底板１１は、スリッパ１の本体底面２よりもやや小さな略相似形に、好ましくは、抜き型により形成され、この裏底板１１としては軟質プラスチック、スポンジ、フェルト、少し硬質のカーペット（パンチカーペット）等の素材が用いられる。
【００２２】
裏底板１１には、図２、図３及び図４に示されているように、足の踵部分１２と指先部分１３及び両側縁部１４にゴミ吸着シート１００の係止切れ目１５、１６、１７が形成されている。
【００２３】
係止切れ目１５は、中央部位にして、かつ円弧面を踵側に向けた半円弧状に形成され、係止切れ目１６は中央部位にして、かつ前後を残して左右対称形に形成された全体略馬蹄形を呈している。
【００２４】
又、係止切れ目１７は、前後の係止切れ目１４、１５の間に適宜の間隔を有して左右対称の略台形状に形成されている。
【００２５】
なお、図示の実施例においては、係止切れ目１７は左右に２個所ずつ設けられているが、その数は任意である。
【００２６】
又、係止切れ目１７は、略台形状に形成されているが、これは両側縁部１４と平行な台形上辺とハ字状斜辺基部でゴミ吸着シート１００の折り返された外周縁部１０１を両側縁部１４と略平行直線状に挟み込んで係止するようにしたもので、これに類似した係止状態が得られれば、台形状に限定されるものではない。
【００２７】
裏底板１１における係止切れ目１５、１６，１７が形成されていない中央部分には、剥離紙１９を有する両面接着テープや面ファスナー等の接着部材１８が設けられている。
【００２８】
このように構成されたスリッパ用ゴミ吸着シートの着脱用裏底部材１０は、接着部材１８を介してスリッパ１の本体底面２に取り付けられて使用される。
【００２９】
ゴミ吸着シート１００としては、好ましくは市販され、大きさが約２０×３０cmに統一されている安価な取替え用のワイパーシートが、はさみ等で足形に切断されることなくそのままの状態で一枚、又は二つ折りにされて使用される。
【００３０】
ゴミ吸着シート１００は、裏底板１１の底面を覆い、かつ外周縁部１０１が接着部材１８側に折り返されて係止切れ目１５、１６、１７に挟み込まれて取り外し自在に取り付けられる。
【００３１】
なお、ゴミ吸着シート１００の裏底板１１に対する取り付けは、裏底板１１をスリッパ１の本体底面２に取り付ける前において行ってもよく、又は取り付けた後において行ってもよい。
【００３２】
このようにしてゴミ吸着シート１００が取り付けられた状態において、このスリッパを着用して歩くことにより、フローリングの床上等のゴミがゴミ吸着シート１００に吸着せられて床上等が自然に掃除される。
【００３３】
ゴミ吸着シート１００を新たなシートと交換する場合や裏返して使用する場合においては、ゴミ吸着シート１００の挟み込まれている外周縁部１０１を係止切れ目１５、１６、１７から外して取り除き、再度取り付ければよい。
【図面の簡単な説明】
【００３４】
【図１】本発明に係るリッパ用ゴミ吸着シートの着脱用裏底部材がスリッパの本体底面に取り付けられた状態を示す斜視図である。
【図２】本発明に係るスリッパ用ゴミ吸着シートの着脱用裏底部材の一例を示す平面図である。
【図３】同上の底面図である。
【図４】図３の４―４線に沿った拡大断面図である。
【図５】図３の５―５線に沿った一部省略の拡大断面図である。
【図６】本発明に係るスリッパ用ゴミ吸着シートの着脱用裏底部材にゴミ吸着シートが取り付けられた状態を示す底面図である。
【図７】本発明に係るスリッパ用ゴミ吸着シートの着脱用裏底部材の使用状態を示す拡大断面図である。
【図８】図７の部分拡大断面図である。
【符号の説明】
【００３５】
１    スリッパ
２    スリッパ本体底面
１０  本スリッパ用ゴミ吸着シートの着脱用裏底部材
１１    裏底板
１２    足の踵部分
１３    指先部分
１４    両側縁部
１５、１６、１７    係止切れ目
１８    接着部材
１００    ゴミ吸着シート
１０１    ゴミ吸着シートの外周縁部
【図１】
2006191995.tif 000003
【図２】
2006191995.tif 000004
【図３】
2006191995.tif 000005
【図４】
2006191995.tif 000006
【図５】
2006191995.tif 000007
【図６】
2006191995.tif 000008
【図７】
2006191995.tif 000009
【図８】
2006191995.tif 000010